(57)【要約】【課題】リード線の屈曲性を保ったままリード線を保護する電子式回路遮断器を得る。【解決手段】カバー４の複数のリード線８の導出口９近傍に保持され、複数のリード線８を沿わせて保護する可撓性保護板１０を備え、前記可撓性保護板１０は、その一端部に形成されカバー４の導出口９から導出された複数のリード線８を引出す引出口１０ｃと、その中間部に形成された折曲げ可能な折曲部１０ｄと、その他端部に形成され複数のリード線８を結束する結束部１０ｅとを有し、複数のリード線８が引出口１０ｃから引き出され、折曲部１０ｄに沿って結束部１０ｅで結束され、可撓性保護板１０はカバー４の開閉に伴って折曲部１０ｄで折り曲がるようにした。【選択図】図２
2012234652.tif 000002
【特許請求の範囲】
【請求項１】
交流電路の電流を検出する変流器と、前記変流器の出力から交流電路を流れる電流を検出し検出結果に基づいて、開閉機構部を駆動する電磁引外し装置に動作信号を送る引外し回路部と、前記引出し回路部からの信号に基づく内容を表示する表示部を有する開閉可能なカバーと、前記引外し回路部と前記カバーの表示部とを接続する複数のリード線とを備える電子式回路遮断器において、
前記カバーの複数の前記リード線の導出口近傍に保持され、複数の前記リード線を沿わせて保護する可撓性保護板を備え、
前記可撓性保護板は
その一端部に形成され前記カバーの導出口から導出された複数の前記リード線を引出す引出口と、
その中間部に形成された折曲げ可能な折曲部と、
その他端部に形成され複数の前記リード線を結束する結束部とを有し、
複数の前記リード線が前記引出口から引き出され、前記折曲部に沿って前記結束部で結束され、前記可撓性保護板は前記カバーの開閉に伴って前記折曲部で折り曲がるようにした電子式回路遮断器。
【請求項２】
前記可撓性保護板の前記一端部は、複数の前記リード線の前記引出口を形成した拡大部であり、前記拡大部は前記カバーのリード線の前記導出口を塞いで、前記導出口の周縁部に保持されている請求項１記載の電子式回路遮断器。
【請求項３】
複数のリード線を結束する前記結束部は、切欠きを有するＳ字状の結束部である請求項１又は請求項２記載の電子式回路遮断器。
【発明の詳細な説明】
【技術分野】
【０００１】
この発明は、交流電路の電流を検出する変流器と、この変流器の出力から交流電路を流れる電流を検出し演算する引外し回路部と、電気量などを表示する表示部を有するカバーとを備える電子式回路遮断器に関し、特に、リード線の配線構造に係るものである。
【背景技術】
【０００２】
電子式回路遮断器は、交流電路の各相の電流をそれぞれ検出する変流器と、これらの変流器の２次出力から交流電路を流れる電流などを検出し演算する電子回路を内蔵した引外し回路部と、引外し回路部で演算された結果により、交流電路に流れる電流などを表示する表示部を有するカバーとを備えており、引外し回路部とカバーの表示部とをリード線により接続している。そのリード線は回路遮断器の機構部（可動部）や表示部の構造部品と互いに干渉しないよう配線される必要がある。従来より、リード線の回路遮断器の機構部への干渉を防止する電線の配線構造については、例えば、特許文献１などで提案されている。
【先行技術文献】
【特許文献】
【０００３】
【特許文献１】特開平４−３１２７３２号公報（図１）
【発明の概要】
【発明が解決しようとする課題】
【０００４】
特許文献１に示された従来の回路遮断器は、付属品である警報スイッチのリード線を電磁引外し装置の周辺を通して配線する場合に、ポリエステルフィルムなどの板材からなる保護板を可動部とリード線の間に介挿し、さらに、熱収縮チューブで、リード線を結束し、リード線を保護板に固定することにより、配線の保護を行っているが、熱収縮チューブを必要とし、大きな配置スペースが必要となる問題があった。
また、リード線と保護板を熱収縮チューブで固定するため、リード線が揺動できる構成とする場合には不向きであった。
【０００５】
この発明は、上述のような課題を解決するためになされたもので、熱収縮チューブを用いないで、複数のリード線を結束し、リード線の屈曲性を保ったままリード線を保護する電子式回路遮断器を得ることを目的とするものである。
【課題を解決するための手段】
【０００６】
この発明に係わる電子式回路遮断器は、交流電路の電流を検出する変流器と、前記変流器の出力から交流電路を流れる電流を検出し検出結果に基づいて、開閉機構部を駆動する電磁引外し装置に動作信号を送る引外し回路部と、前記引出し回路部からの信号に基づく内容を表示する表示部を有する開閉可能なカバーと、前記引外し回路部と前記カバーの表示部とを接続する複数のリード線とを備える電子式回路遮断器において、前記カバーの複数の前記リード線の導出口近傍に保持され、複数の前記リード線を沿わせて保護する可撓性保護板を備え、前記可撓性保護板はその一端部に形成され前記カバーの導出口から導出された複数の前記リード線を引出す引出口と、その中間部に形成された折曲げ可能な折曲部と、その他端部に形成され複数の前記リード線を結束する結束部とを有し、複数の前記リード線が前記引出口から引き出され、前記折曲部に沿って前記結束部で結束され、前記可撓性保護板は前記カバーの開閉に伴って前記折曲部で折り曲がるようにしたものである。
【発明の効果】
【０００７】
この発明の電子式回路遮断器によれば、カバーの複数のリード線の導出口近傍に保持された可撓性保護板により、引外し回路部とカバーの表示部とを接続する複数のリード線が、折曲部に沿わせて結束部で結束されているので、カバーの開閉に伴って折曲部が折曲げられ、複数のリード線が屈曲性を保ったまま保護されるので、複数のリード線がカバーと上部筺体の間に不用意に挟み込まれたり、カバーの開閉を阻害することがない。
【図面の簡単な説明】
【０００８】
【図１】この発明の実施の形態１の電子式回路遮断器において、表示部を有するカバーが閉じている状態を示す斜視図である。
【図２】実施の形態１の電子式回路遮断器において、表示部を有するカバーが開いている状態を示す斜視図である。
【図３】実施の形態１の電子式回路遮断器において、保護板に取付けられたリード線の配線構造を示すカバーの裏面図である。
【図４】実施の形態１の電子式回路遮断器において、表示部を有するカバーが開いている状態を示す側断面部分図である。
【図５】実施の形態１の電子式回路遮断器において、表示部を有するカバーが閉じている状態を示す側断面図である。
【図６】実施の形態１の電子式回路遮断器に用いられる保護板の平面図である。
【発明を実施するための形態】
【０００９】
実施の形態１．
図１〜図５はこの発明の実施の形態１の電子式回路遮断器に関するもので、図１は表示部を有するカバーが閉じた状態を示す斜視図である。図２は表示部を有するカバーが開いた状態を示す斜視図である。図３は保護板に取付けられたリード線の配線構造を示すカバーの裏面図である。図４は表示部を有するカバーが開いている状態を示す側断面部分図である。図５は表示部を有するカバーが閉じている状態を示す側断面図である。
【００１０】
図１において、電子式回路遮断器１００は、絶縁材料で形成された下部筺体１と上部筺体２とからなる筐体を用いて構成される。下部筺体１上には、各交流電路がそれぞれ貫通し、各交流電路の電流を検出する極数個分の変流器（図示せず）と、これらの変流器の２次出力から交流電路を流れる電流などを検出し演算する電子回路を内蔵した１組の引外し回路部（図示せず）と、周知のトグルリンク機構を有する開閉機構部を駆動する電磁引外し装置（図示せず）が配置される。引外し回路部からは、各交流電路に流れる電流などを検出し演算し、演算結果に基づいて、開閉機構部を駆動する電磁引外し装置に動作信号が送られる。
【００１１】
上部筺体２は下部筺体１上の前記変流器，引外し回路部，電磁引外し装置を覆い、開閉機構部の操作ハンドル３が上部筺体２から突出している。上部筺体２には、電子式回路遮断器１００の付属装置取付部７に付属装置を配設できるように開閉可能なカバー４が設けられている。実施の形態１では、カバー４の一端部が上部筺体２に枢着され、開閉可能に略９０°回動する。カバー４は表面に液晶表示面５ａを有する表示部５を有すると共に、操作スイッチ６などを備え、カバー４の内部に表示部５の液晶表示回路部を備えている。引外し回路部の電子回路とカバー４の表示部５は複数のリード線８で接続され、表示部５は引出し回路部からの信号に基づく内容（例えば、各相の電流，電圧，電力や各相の事故状態等）を表示する。
【００１２】
図２は上部筺体２の付属装置取付部７に電子式回路遮断器１００の付属装置を取り付けるため、カバー４が開いた状態を示す斜視図である。図３はカバー４の裏面を示し、保護板（保護シート）１０に取付けられたリード線８の配線構造を示す。
カバー４の内部にある表示部５の液晶表示回路部と、下部筺体１に支持され上部筺体２で覆われている引外し回路部の電子回路とは、複数のリード線８により接続されている。表示部５の液晶表示回路部と接続された複数のリード線８はカバー４の裏面の下部に設けた導出口９から導出される。カバー４におけるリード線８の導出口９には、導出口９を被い導出口９の周縁部、又は導出口９の近傍に保持された可撓性保護板（保護シート）１０が配置されている。保護板１０は、例えばポリエステルフィルムなどの板材で形成される。
【００１３】
図６は可撓性保護板１０の平面図である。図６と図３を参照して、保護板１０の一端部には、導出口９を被う導出口９より大きい拡大部１０ａが形成され、拡大部１０ａの両脇には耳部１０ｂが形成されている。耳部１０ｂは導出口９の両脇の孔９ａに差し込まれて係合され、保護板１０を導出口９の周縁部に保持する。保護板１０を導出口９の周縁部に保持するには、保護板１０と導出口９の周縁部とを接着してもよい。拡大部１０ａには、さらに、リード線８の先端のコネクタ８ａと複数のリード線８とを貫通させて引出す引出口１０ｃが形成されている。保護板１０の中間部には、複数のリード線８が沿い、複数のリード線８を保護する折曲げ可能な折曲部１０ｄが形成されている。保護板１０の他端部には、複数のリード線８を結束する結束部１０ｅが形成されている。結束部１０ｅは略Ｓ字状で、切欠き１０ｆから複数のリード線が挿入され、複数のリード線８が保護板１０の表面から裏面へ、裏面から表面へ行き交うことにより、複数のリード線８が保護板１０の結束部１０ｅに結束される。可撓性保護板１０は拡大部１０ａと折曲部１０ｄと結束部１０ｅが一体に形成されている。
【００１４】
保護板１０は、カバー４の導出口９から引き出された複数のリード線８に沿って、上部筺体２とリード線４の間に配置されてリード線を保護しており、カバー４の導出口９から引き出された複数のリード線４は保護板１０の引出口１０ｃ，折曲部１０ｄを経て結束部１０ｅで結束され、リード線８のコネクタ８ａが引外し回路部に接続される。保護板１０の前記一端部は、複数のリード線８の引出口１０ｃを形成した拡大部１０ａであり、前記拡大部１０ａは、カバー４の複数のリード線８の導出口９を塞いで、導出口９の周縁部に保持されており、カバー４の導出口９を塞ぐ役目も果たすことができる。
【００１５】
図４は、図２の開いている状態におけるリード線８と保護板１０の状態を示す側面断面部分図である。カバー４が回動し、カバー４と上部筺体２との間の距離が離れるが、カバー４が回動し切った状態においても、複数のリード線８は一定程度の余長を持つように構成される。このとき、保護板１０は複数のリード線８を沿わせ折曲部１０ｄで略直角に曲がっている。
【００１６】
図５は、図１の閉じている状態におけるリード線８と保護板１０の状態を示す側面断面図である。図４のようにカバー４が開いた状態において、複数のリード線８は一定程度の余長を持つため、カバー４を閉じた場合に、複数のリード線８がカバー４と上部筺体２の間に挟み込まれたり、カバー４の回動部分の動きを阻害することのないよう、保護板１０の他端部に設けられた結束部１０ｅにより複数のリード線８を結束している。そのためカバー４の回動により複数のリード線８は揺動するが、乱れることなく、上部筺体２に設けられたリード線配置部２ｂに収納される。このとき、保護板１０は複数のリード線８を沿わせ折曲部１０ｄで略Ｕ字状に折曲げられる。
【００１７】
以上のように、実施の形態１の電子式回路遮断器によれば、カバーの複数のリード線の導出口近傍に保持された可撓性保護板により、引外し回路部とカバーの表示部とを接続する複数のリード線が、折曲部に沿わせて結束部で結束されているので、カバーの開閉に伴って折曲部が折曲げられ、複数のリード線が屈曲性を保ったまま保護されるので、複数のリード線がカバーと上部筺体の間に不用意に挟み込まれたり、カバーの開閉を阻害することがない。
【００１８】
また、実施の形態１の電子式回路遮断器によれば、複数のリード線は、複数のリード線と上部筺体に収納された回路遮断器の可動部の間に配置された保護板により保護され、カバーの回動に応じて揺動可能とした構成で保護される。複数のりード線は、保護板の他端部に設けた結束部により結束されているため、カバーの開閉に応じて揺動可能であり、カバーを閉じた場合にもリード線の配置スペースに確実に収まる。保護板がカバーに保持され、保護板の結束部にリード線が結束されているため、複数のリード線の結束部がカバーの開閉により揺動しても脱落しないものである。
【符号の説明】
【００１９】
１００  電子式回路遮断器                  １  下部筺体
２  上部筺体                              ２ｂ  リード線配置部
３  操作ハンドル                          ４  カバー
５  表示部                                ５ａ  液晶表示面
６  操作スイッチ                          ７  付属装置取付部
８  リード線                              ８ａ  コネクタ
９  導出口                                ９ａ  孔  
１０  保護板                              １０ａ  拡大部
１０ｂ  耳部                              １０ｃ  引出口
１０ｄ  折曲部                            １０ｅ  結束部
１０ｆ  切欠き
【図１】
2012234652.tif 000003
【図２】
2012234652.tif 000004
【図３】
2012234652.tif 000005
【図４】
2012234652.tif 000006
【図５】
2012234652.tif 000007
【図６】
2012234652.tif 000008